(57)【要約】【課題】  本発明は、排泄物収納袋に２回目の糞尿を受け止める舌部を設けることで２回の用便を可能とした腰掛便座用排泄物処理袋を提供することを目的とするものである。【解決手段】  本発明の腰掛便座用排泄物処理袋１は、上端が開口状とされる排泄物処理袋本体２と、この排泄物処理袋本体２の開口端手前周面に沿って形成される便座係着部３と、排泄物処理袋本体２内面に、その基端が接着される舌部４とから構成され、さらに排泄物処理袋本体２の底部中央部分には糞尿を拡散するための糞尿拡散用膨出部８を形成するものである。【選択図】      図１
2005328939.tif 000002
【特許請求の範囲】
【請求項１】
ポータブル式の腰掛用トイレの便座に取り付けられる袋状の腰掛便座用排泄物処理袋であって、
前記腰掛便座用排泄物処理袋は、吸収性部材の外表面に防水フイルムを、内表面には通水フイルムが重合される排泄物収納袋本体と、
前記排泄物収納袋本体の開口縁に形成される便座を覆うごとき着脱可能とされる便座係着部と、
前記排泄物収納本体内に基端が接着される舌部を備える
ことを特徴とする腰掛便座用排泄物処理袋。
【請求項２】
前記排泄物収納袋本体内の底面に糞尿拡散用膨出部を設ける
ことを特徴とする請求項１記載の腰掛便座用排泄物処理袋。
【発明の詳細な説明】
【技術分野】
【０００１】
本発明は、腰掛便座用排泄物処理袋に関する。詳しくは高齢者や病気療養中の患者が室内で使用するポータブル式の洋式トイレで用を足すときに腰掛便座に取り付ける排泄物処理袋に係るものである。
【背景技術】
【０００２】
現在の日本は急速に高齢化が進んでおり、６５歳以上の高齢者が総人口に占める割合は１９９５年には１４．６％であったが２０２５年には２７．４％となり、２０５０年にはなんと３人に１人が高齢者という社会が予想される。このような高齢化社会では、生産年齢人口への負担が増えるという大きな問題がある。
【０００３】
そこで近年老人介護保険が施行され、家族やヘルパーが自宅において高齢者の介護をするような制度になってきている。ところで要介護者の殆どは足腰の弱った者が多く、自力でトイレまで往復を行うことが困難であるために寝室にポータブル式の腰掛用トイレを置いて使用するのが多くなっている。
【０００４】
この腰掛用トイレは図５に示すように、上端開口部１０１に便座１０２が取り付けられるトイレ本体１０３内に排泄物収納バケツ１０４が設けられている。したがって要介護者は便座１０２に腰掛けて用を足した後に、介護者が排泄物収納バケツ１０４のみをトイレ本体１０３より取り出して排泄物の処理をしているのが現状である。
【０００５】
この排泄物の処理を簡便にするために、排泄物収納バケツ内にティシュペーパーやビニール袋をあらかじめ入れて排泄物収納バケツに汚れが付かないよう処理をしているが、排泄物のみを回収することができず、排泄物収納バケツを持ち運んで処理する手間はかなりのものである。
【０００６】
そこで前記の手間を解消するために図６に示すような発明がある。この発明は便座を巻くようにして固定できる便座固定部１０５と、この便座固定部１０５の下端周縁にそって設けられる排泄物収納袋１０６とから構成され、用を足した後に排泄物収納袋のみを便座より取り外して排泄物の処理を行うものである（例えば、特許文献１参照。）。
【０００７】
【特許文献１】実用新案登録第３０４８０８７号（要約書、第２図）
【発明の開示】
【発明が解決しようとする課題】
【０００８】
しかしながら前記のような排泄物収納袋の場合では、一回の用便ごとに糞尿が排泄物収納袋内の底面中央付近に集中して溜まるために、そこから袋が破ける恐れがあり一回の用便で排泄物収納袋を取り替える必要がある。
【０００９】
また、男子の場合では用便の際に尿が腰掛用トイレ前方へ飛び散ったりして床面を汚したりするなどの問題がある。更には排泄物収納袋の使用により２回の用便をする場合には、１回目の糞尿が見えることになり要介護者の気分を害することになり、又糞尿からの悪臭が部屋内に漏れる恐れがある。
【００１０】
本発明は、以上の点に鑑みて創案されたものであって、排泄物収納袋に２回目の糞尿を受け止める舌部を設けることで２回の用便を可能とした腰掛便座用排泄物処理袋を提供することを目的とするものである。
【課題を解決するための手段】
【００１１】
上記の目的を達成するために、本発明に係る腰掛便座用排泄物処理袋は、ポータブル式の腰掛用トイレの便座に取り付けられる袋状の腰掛便座用排泄物処理袋であって、前記腰掛便座用排泄物処理袋は、吸収性部材の外表面に防水シートを、内表面には通水シートが重合される排泄物収納袋本体と、前記排泄物収納袋本体の開口縁に形成される便座を覆うごとき着脱可能とされる便座係着部と、前記排泄物収納本体内に基端が接着される舌部を備える。
【００１２】
ここで、要介護者が１回目の用便をする場合には舌部を排泄物収納本体外へ捲って用便をすることにより糞尿は排泄物収納袋本体底部に投下収納される。そして用便後に舌部によって糞尿を覆うことにより目に触れることなく、かつ悪臭の発生もある程度抑えることが可能となる。
【００１３】
また、排泄物収納袋本体内底面の中央に糞尿拡散用膨出部を形成することにより投下される糞尿が底面中央に集中することがなく、これにより防水シートの破損による漏れを防ぐことができるとともに、２回の用便にも充分に使用することが可能となる。
【発明の効果】
【００１４】
以上の構成よりなる本発明では、ポータブル式の腰掛用トイレの便座および排泄物収納バケツを汚すことなく、用便後に排泄物収納袋のみを取り替えるだけでよく、非常に手間が省けるとともに衛生的となる。
【００１５】
また、舌部によって２回の用便を処理することができるために非常に経済的となり、見た目良く、かつ悪臭を抑えることができる。
【発明を実施するための最良の形態】
【００１６】
以下、本発明の実施の形態を図面を参酌しながら説明し、本発明の理解に供する。
図１は、本発明を適用した腰掛便座用排泄物処理袋の一例を説明するための断面説明図である。
【００１７】
ここで示す腰掛便座用排泄物処理袋１は、上端が開口状とされる排泄物処理袋本体２と、この排泄物処理袋本体２の開口端手前周面に沿って形成される便座係着部３と、排泄物処理袋本体２内面に、その基端が接着される舌部４とから構成されるものである。
【００１８】
そこで排泄物処理袋本体２は、高性能ポリマーからなる吸収性部材５の外表面を防水シート６および内表面を通水シート７によって重合されるものである。更に排泄物処理袋本体２の側面は吸収性部材５による一層構造とされ、糞尿等の排泄物が投下される底部は吸収容量を大きくするために二層構造とされる。そして底部中央部分の吸収性部材５の厚みを増すことにより糞尿を拡散するための糞尿拡散用膨出部８を形成するものである。
【００１９】
次に便座係着部３は便座を覆うようにして係着するものであり、図２に示すように排泄物処理袋本体２の開口端手前には収縮自在としたギャザー部９が設けられるものである。そして排泄物処理袋本体２の開口端には図２（ａ）で示すように、排泄物処理袋本体２の開口端に沿って接着テープ１０が一定間隔ごとに設けられ、この接着テープ１０によって便座を覆った状態で便座裏側に接着テープ１０を接着することで排泄物処理袋本体２を便座に取り付けることができる。
【００２０】
また、図２（ｂ）で示すように、排泄物処理袋本体２の開口端に沿って８０ｍｍ間隔で１０ｍｍ程度の穴部１１を開口し、便座を覆った状態で便座裏側に設けたフック（図示せず。）に穴部１１を差し入れることで排泄物処理袋本体２を便座に取り付けることができる。
【００２１】
さらに、図２（ｃ）で示すように、排泄物処理袋本体２の開口端に沿って強化ゴム部１３を設けることによって便座を覆った状態で強化ゴム部１３の収縮しようとする弾性力によって排泄物処理袋本体２を便座に取り付けることができる。
【００２２】
なお、排泄物処理袋本体２の開口外周面にはすべり防止用としての生ゴム（図示せず。）を貼着することで排泄物処理袋本体２の開口端を外側に折り曲げて便座を覆う場合に、すべり防止用としての生ゴムが便座表面に密着することで便座表面からのズベリを防止することが可能となる。
【００２３】
舌部４は、便座に取り付けることで開口端が広げられた排泄物処理袋本体２内にのれん状に垂れ下がるように、その柔軟性シートの基端を排泄物処理袋本体２内面に固着するものである。従って舌部４が便座の前面となるように排泄物処理袋本体２を便座に取り付け、男性に場合では舌部４を便座の外側へ捲って使用することにより尿の飛び散りを防止することができる。
【００２４】
また、一回の排泄の際に排泄物処理袋本体２底面に溜まった糞尿等の排泄物に対して舌部によって覆うことで見た目が良く、かつ悪臭を抑えることができると共に、舌部上に２回目の排泄を行うことが可能となる。
【００２５】
以上の構成よりなる本発明では図３（ａ）、（ｂ）に示すように、ポータブル式の腰掛用トイレ１４の便座１５内に腰掛便座用排泄物処理袋１を挿入した状態で排泄物処理袋本体２を便座１５の内周面に沿って押し広げ、かつ舌部４が前方に位置するような状態で便座係着部３によって便座１５上面を覆うようにして取り付けるものである。
【００２６】
従って排泄物処理袋本体２は腰掛用トイレ１４内に設置される排泄物収納バケツ１６内に収められた状態となる。そこで例えば男性が用便をする場合には、舌部４を排泄物処理袋本体２外側へ捲り、男性器を覆うようすることにより放尿による飛び散りを舌部４によって防ぐことができる。
【００２７】
また、排泄物Ａは排泄物処理袋本体２の中央に形成される糞尿拡散用膨出部８によって排泄物処理袋本体２底面に均一に分散されることで排泄物処理袋本体２底面の中央への集中負荷を防止することができる。
【００２８】
次に図４（ａ）、（ｂ）で示すように、１回目の用便を行った後に排泄物処理袋本体２底面に溜まった排泄物Ａ上を舌部４によって覆うことで排泄物Ａからの悪臭の放出を遮断し、かつ排泄物Ａが舌部４によって隠されることにより見た目が良く衛生的な環境となる。
【００２９】
そして２回目の用便を行う場合には、舌部４上に排泄物Ａを落とすことによって舌部４によって排泄物処理袋本体２底面への負荷が軽減される。このようにして２回目の用便が終了した時点で便座１５より排泄物処理袋本体２の便座係着部３を取り外し、排泄物収納バケツ１６内より排泄物処理袋本体２を取り出して廃棄等の処理を行う。
【００３０】
従って介護者は便座および排泄物収納バケツを汚すことなく排泄物の処理を容易に行うことができ、かつ最大限２回の用便による排泄物を処理することが可能となる。
【００３１】
なお、本実施例では２回による用便について詳述してきたが、必ずしも２回の用便である必要性はなく、１回の用便であっても舌部によって排泄物を覆うことで悪臭が遮断されると共に、介護者による腰掛便座用排泄物処理袋の回収の際に排泄物が目に触れないことで衛生環境が良く、かつ要介護者にはずかしさを感じさせないことになる。
【００３２】
また、吸収性部材は必ずしも高性能ポリマーである必要性は無く、吸水性に優れ、かつ柔軟性に優れた素材であればいかなる素材であっても構わない。
【図面の簡単な説明】
【００３３】
【図１】本発明を適用した腰掛便座用排泄物処理袋の一例を示す断面説明図である。
【図２】本発明を適用した腰掛便座用排泄物処理袋の便座係着部の取り付け方法の例を示す説明図である。
【図３】本発明を適用した腰掛便座用排泄物処理袋による１回目の用便の使用例を示す説明図である。
【図４】本発明を適用した腰掛便座用排泄物処理袋による２回目の用便の使用例を示す説明図である。
【図５】ポータブル式の腰掛用トイレの一例を示す説明図である。
【図６】従来の排泄物処理袋の一例を示す説明図である。
【符号の説明】
【００３４】
１      腰掛便座用排泄物処理袋
２      排泄物処理袋本体
３      便座係着部
４      舌部
５      吸収性部材
６      防水シート
７      通水シート
８      糞尿拡散用膨出部
９      ギャザー部
１０    接着テープ
１１    穴部
１２    フック
１３    強化ゴム
１４    腰掛用トイレ
１５    便座
１６    排泄物収納バケツ
【図１】
2005328939.tif 000003
【図２】
2005328939.tif 000004
【図３】
2005328939.tif 000005
【図４】
2005328939.tif 000006
【図５】
2005328939.tif 000007
【図６】
2005328939.tif 000008